(57)【要約】      （修正有）【課題】無料通話時間帯や割引通話時間帯が設定された携帯電話や固定電話回線を組み合わせ、固定電話回線を介して携帯電話との間で安価に架電する電話システムを提供する。【解決手段】電話システム１０１のアダプター１０４は、携帯電話１０２Ａと固定電話回線１０３の音声入出力を接続する。固定電話回線１０３が通話状態になった旨を通知部１２３が受付部１３１に通知すると架電部１３２は携帯電話１０２Ｂに架電する。携帯電話１０２Ｂから携帯電話１０２Ａに架電した場合、着信部１５１がこれを検出して携帯電話１０２Ａは自動着信する。これにより、携帯電話１０２Ａ、１０２Ｂが無料通話時間帯であり、固定電話回線１０３と他の電話１０５Ｃの間の料金が、携帯電話１０２Ｂと他の電話１０５Ｃの間の料金よりも安い場合に好適である。【選択図】図１
2008236600.tif 000002
【特許請求の範囲】
【請求項１】
携帯電話Ａと、携帯電話Ｂと、アダプターと、を有し、固定電話回線を介して通話を行う電話システムであって、
（ａ）前記アダプターは、
前記固定電話回線の音声出力に接続され、当該音声出力の着信パターンおよび終了パターンを検出する検出部、
当該着信パターンが検出されてから、当該終了パターンが検出されるまでの間、前記固定電話回線の音声出力を前記携帯電話Ａの音声入力に与え、前記携帯電話Ａの音声出力を前記固定電話回線の音声入力に与える接続部、
当該着信パターンが検出されると、前記携帯電話Ａにその旨を通知する通知部
を備え、
（ｂ）前記携帯電話Ａは、
前記アダプターからの当該着信パターンが検出された旨の通知を受け付ける受付部、
当該通知が受け付けられると、前記携帯電話Ｂに架電する架電部
を備える
ことを特徴とする電話システム。
【請求項２】
携帯電話Ａと、携帯電話Ｂと、アダプターと、を有し、固定電話回線を介して通話を行う電話システムであって、
（ａ）前記アダプターは、
前記携帯電話Ａの音声出力に接続され、当該音声出力があるか否かを検出する検出部、
当該音声出力がある旨が検出されている間、前記固定電話回線の音声出力を前記携帯電話Ａの音声入力に与え、前記携帯電話Ａの音声出力を前記固定電話回線の音声入力に与える接続部
を備え、
（ｂ）前記携帯電話Ａは、
前記携帯電話Ｂから架電されると、自動着信して通話状態となる着信部
を備える
ことを特徴とする電話システム。
【請求項３】
請求項２に記載の電話システムであって、当該携帯電話Ｂから他の電話Ｃへ架電する時間帯が
（ａ）第１の時間帯である場合、当該携帯電話Ｂから当該携帯電話Ａへ架電して、当該携帯電話Ａが通話状態となり、当該固定電話回線がダイヤルトーン待ち状態になるまで待機、もしくは、ダイヤルトーン待ち状態となると想定される時間待機してから、当該他の電話Ｃの電話番号のうち当該第１の時間帯に対応付けられる電話番号で架電し、
（ｂ）第２の時間帯である場合、当該携帯電話Ｂから当該他の電話Ｃの電話番号のうち当該第２の時間帯に対応付けられる電話番号で架電する
ことを特徴とする電話システム。
【発明の詳細な説明】
【技術分野】
【０００１】
本発明は、無料通話時間帯や割引通話時間帯が設定された携帯電話や固定電話回線を組み合わせ、固定電話回線を介して携帯電話との間で安価に架電する電話システムに関する。
【背景技術】
【０００２】
従来から、固定電話と携帯電話との間で電話料金の割引がある場合に、ユーザの電話番号入力負担を低減させる電話機アダプタが提案されている。このような技術については、たとえば以下の文献に開示されている。
【特許文献１】特開２００６−１３５８２６号公報
【０００３】
ここで、[特許文献１]では、固定電話機から携帯電話機への電話について電話料金の割引サービスを受ける場合、電話をかける者が、割引サービスを受けるキャリア（電話会社）の識別番号を、電話の都度付け加える必要がなく、何ら特別の作業を行うことなく電話をかければよい電話機アダプタを提供するため、固定電話機からのダイアル信号が携帯電話機の呼び出しか否かを判断する判断手段と、固定電話機からのダイアル信号が携帯電話機の呼び出しの場合に、記憶手段に記憶されているキャリア識別情報を読み出して固定電話機からのダイアル信号に付加し、該付加後のダイアル信号を固定電話回線へ送出する付加送出手段と、固定電話機からのダイアル信号が携帯電話機の呼び出しとは異なる場合に固定電話機からのダイアル信号をそのまま固定電話回線へ送り出す無付加送出手段とを備えるように構成する技術が開示されている。
【０００４】
このほか、携帯電話同士の通話に無料通話時間帯が設定されている場合もある。しかも、これと同じ時間帯で他の電話に架電する場合には、固定電話から架電する方が携帯電話から架電するよりも電話料金が安いことが多い。
【発明の開示】
【発明が解決しようとする課題】
【０００５】
したがって、このような無料通話時間帯や割引通話時間帯を利用して、あるときは携帯電話回線を利用し、あるときは固定電話回線を利用して、安価に電話を架けられるようにしたい、という要望は強い。
【０００６】
この際に、ユーザは、使い慣れた携帯電話のみを直接操作するものとし、固定電話のダイヤルやフックなどを手で操作しなくとも良いようにしたい、との要望もある。
【０００７】
本発明は、上記のような課題を解決するもので、無料通話時間帯や割引通話時間帯が設定された携帯電話や固定電話回線を組み合わせ、固定電話回線を介して携帯電話との間で安価に架電する電話システムを提供することを目的とする。
【課題を解決するための手段】
【０００８】
以上の目的を達成するため、本発明の原理にしたがって、下記の発明を開示する。
【０００９】
本発明の第１の観点に係る電話システムは、携帯電話Ａと、携帯電話Ｂと、アダプターと、を有し、固定電話回線を介して通話を行い、以下のように構成する。
【００１０】
まず、アダプターは、固定電話回線の音声出力に接続され、当該音声出力の着信パターンおよび終了パターンを検出する検出部、当該着信パターンが検出されてから、当該終了パターンが検出されるまでの間、固定電話回線の音声出力を携帯電話Ａの音声入力に与え、携帯電話Ａの音声出力を固定電話回線の音声入力に与える接続部、当該着信パターンが検出されると、携帯電話Ａにその旨を通知する通知部を備える。
【００１１】
一方、携帯電話Ａは、アダプターからの当該着信パターンが検出された旨の通知を受け付ける受付部、当該通知が受け付けられると、携帯電話Ｂに架電する架電部を備える。
【００１２】
本発明は、携帯電話Ａと、携帯電話Ｂと、の間の無料通話時間帯において、他の電話から固定電話回線に電話が架かってきた場合に、固定電話回線からアダプタと携帯電話Ａを介してこの通話を携帯電話Ｂに転送するものである。したがって、ユーザは、固定電話回線に架かってきた電話を、携帯電話Ｂで通話することができるようになる。
【００１３】
本発明の第２の観点に係る電話システムは、携帯電話Ａと、携帯電話Ｂと、アダプターと、を有し、固定電話回線を介して通話を行い、以下のように構成する。
（ａ）アダプターは、携帯電話Ａの音声出力に接続され、当該音声出力があるか否かを検出する検出部、当該音声出力がある旨が検出されている間、固定電話回線の音声出力を携帯電話Ａの音声入力に与え、携帯電話Ａの音声出力を固定電話回線の音声入力に与える接続部を備える。
（ｂ）携帯電話Ａは、携帯電話Ｂから架電されると、自動着信して通話状態となる着信部を備える。
【００１４】
本発明は、携帯電話Ａと、携帯電話Ｂと、の間の無料通話時間帯において、携帯電話Ｂから他の電話に架電したいときに、携帯電話Ｂから携帯電話Ａに電話をかけ、アダプタを介して固定電話回線のダイヤルトーンを待ち（実際には、ダイヤルトーンを検出しなくとも、数秒待機するだけでも十分である。）、さらに携帯電話Ｂから他の電話の電話番号のトーンを出力することで、携帯電話Ｂと他の電話との通話を可能にするものである。
【００１５】
また、本発明の電話システムにおいて、当該携帯電話Ｂから他の電話Ｃへ架電する時間帯が
（ａ）第１の時間帯である場合、当該携帯電話Ｂから当該携帯電話Ａへ架電して、当該携帯電話Ａが通話状態となり、当該固定電話回線がダイヤルトーン待ち状態になるまで待機、もしくは、ダイヤルトーン待ち状態となると想定される時間待機してから、当該他の電話Ｃの電話番号のうち当該第１の時間帯に対応付けられる電話番号で架電し、
（ｂ）第２の時間帯である場合、当該携帯電話Ｂから当該他の電話Ｃの電話番号のうち当該第２の時間帯に対応付けられる電話番号で架電する
ように構成することができる。
【００１６】
本発明は、携帯電話Ａと携帯電話Ｂの無料通話時間帯のうち、固定電話回線から他の電話への通話と、携帯電話Ｂから他の電話への通話と、で、前者が後者より安い第１の時間帯と、後者が前者より安い第２の時間帯と、を使い分けるものである。
【発明の効果】
【００１７】
本発明によれば、無料通話時間帯や割引通話時間帯が設定された携帯電話や固定電話回線を組み合わせ、固定電話回線を介して携帯電話との間で安価に架電する電話システムを提供することができる。
【発明を実施するための最良の形態】
【００１８】
以下に本発明の一実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【実施例１】
【００１９】
図１は、本発明の電話システムの実施形態に係る概要構成を示す模式図である。以下、本図を参照して説明する。
【００２０】
本実施形態に係る電話システム１０１は、携帯電話１０２Ａと、携帯電話１０２Ｂと、アダプター１０４と、を有し、固定電話回線１０３に接続されている。
【００２１】
そして、ユーザは携帯電話１０２Ｂを使って、他の電話１０５Ｃとの間で通話をする。
【００２２】
また、固定電話回線１０３と携帯電話１０２Ａとは、アダプター１０４を介して有線で接続されている。
【００２３】
なお、本図における有線接続における接地線等については適宜記載を省略している。
【００２４】
まず、アダプター１０４は、検出部１２１、接続部１２２、通知部１２３を備える。
【００２５】
検出部１２１は、固定電話回線１０３の音声出力に接続され、当該音声出力の着信パターンおよび終了パターンを検出する。
【００２６】
固定電話回線には、通話における人間が発する声のほか、ダイヤル待ちの際に出力されるトーン待ち音（「ツー」という途切れない音）、電話が架かってきたことを知らせる着信音（「プルルル、プルルル、…」という間欠的な呼出音）、通話が終了していることを知らせる終了音（「ツー、ツー、…」という間欠的な音）がある。人間の声の他は、規格によって音程や各音の時間長が定められているため、この規格に沿って判別を行うのである。
【００２７】
なお、具体的には、着信パターンは、電話線に１６Ｈｚの信号が音声より桁違いに大きな振幅で流れたことで検出できる。
【００２８】
また、終了パターンは、電話線の極性が１秒以内の間隔で２回反転したことにより検出できる。
【００２９】
また、トーン待ち音については、一般に、直前の処理によってトーン待ちになることが確定していることが多いから、単純に数秒間待つだけで十分な場合も多い。
【００３０】
もっとも、上記の「ツー」「プルルル、プルルル、…」「ツー、ツー、…」は、４００Ｈｚの音のパターンであるので、このような音声認識により現在の状態を認識することとしても良い。
【００３１】
一方、接続部１２２は、当該着信パターンが検出されてから、当該終了パターンが検出されるまでの間、固定電話回線１０３の音声出力を携帯電話１０２Ａの音声入力に与え、携帯電話１０２Ａの音声出力を固定電話回線１０３の音声入力に与える。
【００３２】
一方、通知部１２３は、当該着信パターンが検出されると、携帯電話１０２Ａにその旨を通知する。これは、携帯電話１０２Ａの自動発信（自動架電）を促すものである。
【００３３】
接続部１２２および通知部１２３は、携帯電話用のハンズフリーユニットと同様のものである。接続部１２２における音声のやり取りは、ハンズフリーユニットと携帯電話との間の音声のやり取りと同様であり、通知部１２３による通知は、ハンズフリーユニットにおける発信・着信ボタンの押圧操作によるものと同様である。
【００３４】
一方、携帯電話１０２Ａは、受付部１３１、架電部１３２を有する。
【００３５】
ここで、受付部１３１は、アダプター１０４からの当該着信パターンが検出された旨の通知を受け付ける。
【００３６】
一方、架電部１３２は、当該通知が受け付けられると、自動的に発信して、携帯電話１０２Ｂに架電する。
【００３７】
すなわち、本実施形態における携帯電話１０２Ａの動作は、ハンズフリーユニットに対応付けて考えると、「ハンズフリーユニットの発信・着信ボタンが押されると、自動的に、携帯電話１０２Ｂに電話する」というものである。
【００３８】
すなわち、
（１）他の電話１０５Ｃから固定電話回線１０３に電話が架かってくる。
（２）すると、固定電話回線１０３は、携帯電話１０２Ａに着信した旨を通知する。
（３）携帯電話１０２Ａは、この通知を受けると、携帯電話１０２Ｂに架電する。
（４）携帯電話１０２Ｂをユーザがとると、携帯電話１０２Ｂと他の電話１０５Ｃとの間の通過が可能となる。
【００３９】
また、本実施形態の携帯電話１０２Ａは、着信部１５１を有し、着信部１５１は、携帯電話１０２Ｂから架電されると、自動着信して通話状態となる。
【００４０】
これには、番号通知機能を用いて携帯電話１０２Ｂの電話番号であることを確認してから自動着信状態とするのが典型的である。これにより、架電部１３２は、携帯電話１０２Ｂとの通話状態になる。
【００４１】
一方、アダプター１０４において、検出部１２１は、携帯電話１０２Ａの音声出力に接続され、当該音声出力があるか否かを検出する。
【００４２】
上記のように、携帯電話１０２Ａが携帯電話１０２Ｂからの架電で自動着信して通話状態になると、検出部１２１は、携帯電話１０２Ａの音声出力がある、と検出する。
【００４３】
すると、接続部１２２は、当該音声出力がある旨が検出されている間、固定電話回線１０３の音声出力を携帯電話１０２Ａの音声入力に与え、携帯電話１０２Ａの音声出力を固定電話回線１０３の音声入力に与える。
【００４４】
すなわち、
（１）携帯電話１０２Ｂから携帯電話１０２Ａに電話を架ける。これは無料通話である。
（２）すると、携帯電話１０２Ａは自動着信し、携帯電話１０２Ｂと固定電話回線１０３との間で音声のやり取りが可能となる。
（３）このとき、固定電話回線１０３は、ダイヤルトーン待ち状態となるから、ユーザは、携帯電話１０２Ｂで他の電話１０５Ｃの電話番号をボタン等で操作する。
（４）すると、携帯電話１０２Ｂから他の電話１０５Ｃの電話番号のダイヤルトーンが固定電話回線１０３に伝わり、固定電話回線１０３から他の電話１０５Ｃへ架電される。
（５）これによって、携帯電話１０２Ｂと他の電話１０５Ｃとの間の通話が可能となる。
【００４５】
なお、固定電話回線１０３がダイヤルトーン待ちになったことを検出する際には、実際には、単に数秒（ダイヤルトーン待ち状態となると想定される時間）待つだけで実用上十分なことが多い。もちろん、４００Ｈｚの音声パターンを認識することとしても良い。
【００４６】
なお、携帯電話１０２Ａと携帯電話１０２Ｂの無料通話時間帯のうち、固定電話回線１０３から他の電話１０５Ｃへの通話と、携帯電話１０２Ｂから他の電話１０５Ｃへの通話と、で、前者が後者より安い第１の時間帯と、後者が前者より安い第２の時間帯と、が存在することもある。
【００４７】
また、上記（１）（３）においてユーザが電話番号を直接数字ボタンを使って入力するのは面倒でもある。
【００４８】
そこで、当該携帯電話１０２Ｂから他の電話１０５Ｃへ架電する時間帯が第１の時間帯である場合、当該携帯電話１０２Ｂから当該携帯電話１０２Ａへ架電して、当該携帯電話１０２Ａが通話状態となり、当該固定電話回線１０３がダイヤルトーン待ち状態になるまで待機、もしくは、ダイヤルトーン待ち状態となると想定される時間待機してから、当該他の電話１０５Ｃの電話番号のうち当該第１の時間帯に対応付けられる電話番号で架電する。
【００４９】
第１の時間帯に対応付けられる電話番号は、典型的には、他の電話１０５Ｃの電話番号の前に、固定電話回線１０３から他の電話１０５Ｃへの割引サービス用の電話番号を付加したものである。
【００５０】
該携帯電話１０２Ｂから他の電話１０５Ｃへ架電する時間帯が第２の時間帯である場合、当該携帯電話１０２Ｂから当該他の電話１０５Ｃの電話番号のうち当該第２の時間帯に対応付けられる電話番号で架電する。
【００５１】
このために、携帯電話１０２Ｂが備える電話帳（相手の名前等と電話番号とを対応付けて記憶するもの）には、以下のような電話番号を、時間帯に合わせて用意しておく。あるいは、時間帯に応じて、携帯電話１０２Ｂ内で自動生成することとしても良い。
（ａ）携帯電話１０２Ａと携帯電話１０２Ｂとの通話が無料であり、固定電話回線１０３から他の電話１０５Ｃへ電話に、所定の番号を使う割引サービスが存在し、これを使うのが一番安い時間帯用の電話番号…「携帯電話１０２Ａの電話番号」＋「一定時間待機」＋「固定電話回線１０３から他の電話１０５Ｃへの割引サービス番号」＋「他の電話１０５Ｃの電話番号」。
（ｂ）携帯電話１０２Ａと携帯電話１０２Ｂとの通話が無料であり、固定電話回線１０３から他の電話１０５Ｃへ電話をかける際に割引サービスがなく、これを使うのが一番安い時間帯用の電話番号…「携帯電話１０２Ａの電話番号」＋「一定時間待機」＋「他の電話１０５Ｃの電話番号」。
（ｃ）携帯電話１０５Ｂから他の電話１０５Ｃへ直接電話をかけるのが一番安い時間帯用の電話番号…「他の電話１０５Ｃの電話番号」。
【００５２】
すなわち、当該他の電話１０５Ｃの持ち主の名前を電話帳から選択すると、携帯電話１０２Ｂは、時間帯に応じて上記（ａ）〜（ｃ）のいずれかの電話番号を自動的に選択して架電することとするのである。
【００５３】
携帯電話１０２Ａ、携帯電話１０２Ｂにて実行されるこれらの自動着信や自動発呼、電話帳の機能は、いずれも、これらの携帯電話が備える不揮発性メモリや音声入出力の機能、ハンズフリーユニットとの接続機能、および、これらを制御するＣＰＵ（Central Processing Unit）に対して適切なプログラムを与えることによって、実現が可能である。
【００５４】
また、アダプター１０４は、固定電話回線の分配器などに用いられる技術を利用することで、実装が可能である。
【００５５】
なお、アダプター１０４においては、携帯電話１０２Ａからの音声出力が一定時間以上ないことを検出部１２１が検出した場合には、接続部１２２による接続を切って、固定電話回線１０３を切断するようにすることが望ましい。この実装においては、音声の有無のみを判定すれば良い。
【００５６】
このように、携帯電話１０２Ａ、携帯電話１０２Ｂ、固定電話回線１０３としては、既存のものをそのまま利用することができ、アダプター１０４のみを提供するだけで本システム１０１の基本機能を実現することができる。上記のように、アダプター１０４の構成は比較的単純であり、安価に実現が可能であるため、本実施形態の経済的効果は大きい。また、携帯電話１０２Ａ、１０２Ｂ用のアプリケーションを用意することで、本システム１０１の電話帳を用いた架電などの拡張機能を実現することができる。
【産業上の利用可能性】
【００５７】
上記のように本発明によれば、無料通話時間帯や割引通話時間帯が設定された携帯電話や固定電話回線を組み合わせ、固定電話回線を介して携帯電話との間で安価に架電する電話システムを提供することができる。
【図面の簡単な説明】
【００５８】
【図１】本発明の電話システムの実施形態に係る概要構成を示す模式図である。
【符号の説明】
【００５９】
１０１    電話システム
１０２Ａ  携帯電話
１０２Ｂ  携帯電話
１０３    固定電話回線
１０４    アダプター
１０５Ｃ  他の電話
１２１    検出部
１２２    接続部
１２３    通知部
１３１    受付部
１３２    架電部
１５１    着信部
【図１】
2008236600.tif 000003